(57)【要約】【課題】電力損失を小さくする。【解決手段】直流電源１からの直流電圧を降圧する降圧レギュレータ６と、第１の制御電圧で動作する第１の制御手段としての集積回路１５と、第１の制御電圧よりも低い電圧値で動作する第２の制御手段としての集積回路８と、直流電源電圧を降圧して直流電圧を出力するとともにこの直流電圧よりも低い直流電圧を切替えて出力する降圧レギュレータ６と定電圧ダイオード１０，１２とＦＥＴ１１からなる電圧降圧手段と、電圧降圧手段の出力電圧を集積回路１５の電源として出力する整流用ダイオード１３、第２の平滑コンデンサ１４からなる第１の制御電圧供給手段と、電圧降圧手段の出力電圧を降圧して第１の制御電圧より低い第２の制御電圧を集積回路８の電源として出力する３端子レギュレータ７からなる第２の制御電圧供給手段とを有する。【選択図】      図１
2007274877.tif 000002
【特許請求の範囲】
【請求項１】
第１の制御電圧で動作する第１の制御手段と；
前記第１の制御電圧よりも低い電圧値で動作する第２の制御手段と；
直流電源と；
前記直流電源の出力電圧を降圧して直流電圧値を出力するとともにこの直流電圧値よりも低い少なくとも１つの直流電圧値を切替えて出力する電圧降圧手段と；
前記電圧降圧手段の出力電圧を前記第１の制御手段の電源として出力する第１の制御電圧供給手段と；
前記電圧降圧手段の出力電圧を降圧した前記第１の制御電圧より低い第２の制御電圧を、前記第２の制御手段の電源として出力する第２の制御電圧供給手段と；
を具備していることを特徴とする制御用電源装置。
【請求項２】
直流電源と；
この直流電源に接続し、放電灯を点灯動作する点灯回路と；
前記点灯回路を制御する、第１の制御電圧で動作する第１の制御手段と；
前記第１の制御手段を制御する、前記第１の制御電圧よりも低い電圧値で動作する第２の制御手段と；
前記直流電源の出力電圧を降圧して直流電圧値を出力するとともに、この直流電圧値よりも低い少なくとも１つの直流電圧値を切替えて出力する電圧降圧手段と；
前記電圧降圧手段の出力電圧を前記第１の制御手段の電源として出力する第１の制御電圧供給手段と；
前記電圧降圧手段の出力電圧を降圧して前記第１の制御電圧より低い第２の制御電圧を前記第２の制御手段の電源として出力する第２の制御電圧供給手段と；
を具備していることを特徴とする放電灯点灯装置。
【請求項３】
チョッパ用インダクタを設けた昇圧チョッパ回路を有する直流電源と、
この直流電源に接続し、放電灯を点灯動作する点灯回路と、
前記点灯回路を制御する、第１の制御電圧で動作する第１の制御手段と；
前記第１の制御手段を制御する、前記第１の制御電圧よりも低い電圧値で動作する第２の制御手段と；
前記直流電源の出力電圧を降圧して直流電圧値を出力するとともにこの直流電圧値よりも低い少なくとも１つの直流電圧値を切替えて出力する電圧降圧手段と；
前記電圧降圧手段の出力電圧を前記第１の制御手段の電源として出力する第１の制御電圧供給手段と；
前記電圧降圧手段の出力電圧を降圧して前記第１の制御電圧より低い第２の制御電圧を前記第２の制御手段の電源として出力する第２の制御電圧供給手段と；
前記チョッパ用インダクタに発生する電磁エネルギーによって誘起される電圧を整流し前記第１の制御手段の電源として出力する第３の制御電圧供給手段と；
を具備していることを特徴とする放電灯点灯装置。
【請求項４】
チョッパ用インダクタの不動作時には、第１の制御電圧供給手段を第１の制御手段の電源として使用し、チョッパ用インダクタの動作時には第３の制御電圧供給手段を第１の制御手段の電源として使用することを特徴とする請求項３記載の放電灯点灯装置。
【請求項５】
電圧降圧手段は、直流電源又は点灯回路の起動時、あるいは再起動時には第１の制御電圧を出力することを特徴とする請求項２乃至４のいずれか１記載の放電灯点灯装置。
【請求項６】
電圧降圧手段は、点灯回路の動作休止中あるいは停止中は第２の制御電圧を出力することを特徴とする請求項２乃至５のいずれか１記載の放電灯点灯装置。
【請求項７】
照明器具本体と；
この照明器具本体に付設された、請求項２乃至６のいずれか１記載の放電灯点灯装置と；
前記照明器具本体に配設された放電灯と；
を具備していることを特徴とする照明装置。
【発明の詳細な説明】
【技術分野】
【０００１】
本発明は、複数の直流制御電圧を出力する制御用電源装置及びこの制御用電源装置を使用した放電灯点灯装置並びにこの放電灯点灯装置を備えた照明装置に関する。
【背景技術】
【０００２】
従来、複数の直流制御電圧を出力する制御用電源装置としては、シリーズレギュレータを使用し、高い電圧を発生したのち、このシリーズレギュレータで低い電圧を発生させる方式のものが知られている。特に、最近では、駆動部を、例えば１５Ｖ程度の高い直流制御電圧を電源とするアナログＩＣで制御し、このアナログＩＣを、例えば３．３Ｖ程度の低い直流制御電圧を電源とするマイクロコンピュータで制御するものがあり、このようなものではシリーズレギュレータで降圧する電圧量が増加する傾向にある。
【０００３】
また、放電灯点灯装置では、力率改善のために直流電源に昇圧チョッパ回路を設け、この昇圧チョッパ回路のインダクタに補助巻線を添設し、この補助巻線に誘起される電圧を整流し平滑して制御回路の電源としたものにおいて、始動時にイグナイタ回路を間欠的に駆動して高圧パルスを間欠的に発生させると、イグナイタ回路が動作しない軽負荷期間において補助巻線から電源電圧を確保することができなくなるという問題がある。
【０００４】
このため、昇圧チョッパ回路の出力端間に、抵抗とトランジスタの直列回路を並列に接続し、トランジスタをイグナイタ回路が動作しない期間オンさせることで電源電圧を確保するようにしたものが知られている（例えば、特許文献１参照）。
【特許文献１】特開２００３−２０３７９０号公報
【発明の開示】
【発明が解決しようとする課題】
【０００５】
従来の複数の直流制御電圧を出力する制御用電源装置は、高い方の直流制御電圧から低い方の直流制御電圧へ降圧する電圧量が大きく、降圧による電力損失が大きいという問題があった。
【０００６】
また、従来の放電灯点灯装置においても、イグナイタ回路が動作しない軽負荷期間において抵抗を介して電流を通電するため無駄な消費電力が発生し、しかも、抵抗として容量が大きな抵抗を使用しなければならない問題があった。
【０００７】
そこで、本発明は、電力損失を小さくできる制御用電源装置を提供する。
【０００８】
また、本発明は、電力損失を小さくできる放電灯点灯装置及び照明装置を提供する。
【０００９】
また、本発明は、電力損失を小さくできるとともに無駄な消費電力の発生を抑制できる放電灯点灯装置及び照明装置を提供する。
【課題を解決するための手段】
【００１０】
請求項１対応の発明は、第１の制御電圧で動作する第１の制御手段と、第１の制御電圧よりも低い電圧値で動作する第２の制御手段と、直流電源と、この直流電源の出力電圧を降圧して直流電圧値を出力するとともにこの直流電圧値よりも低い少なくとも１つの直流電圧値を切替えて出力する電圧降圧手段と、電圧降圧手段の出力電圧を第１の制御手段の電源として出力する第１の制御電圧供給手段と、電圧降圧手段の出力電圧を降圧して第１の制御電圧より低い第２の制御電圧を第２の制御手段の電源として出力する第２の制御電圧供給手段とを具備する制御用電源装置にある。
【００１１】
電圧降圧手段は、例えば、ＩＰＤ（インテリジェント・パワー・デバイス）を使用して、直流電源からの直流電圧を、例えば、１５Ｖ程度の直流電圧とこれよりも低い５Ｖ程度の直流電圧に切替えて出力する。第１の制御電圧供給手段は、電圧降圧手段からの直流電圧を第１の制御手段に電源として出力する。このときの直流電圧は、例えば、１５Ｖと１２Ｖの間を変化するような電圧になる。第２の制御電圧供給手段は、例えば、３端子レギュレータを使用して、１５Ｖと５Ｖの間を変化する電圧を、それよりも低い、例えば、３．３Ｖ程度の直流電圧に降圧して第２の制御手段に電源として出力する。
【００１２】
請求項２対応の発明は、直流電源と、この直流電源に接続し、放電灯を点灯動作する点灯回路と、この点灯回路を制御する、第１の制御電圧で動作する第１の制御手段と、第１の制御手段を制御する、第１の制御電圧よりも低い電圧値で動作する第２の制御手段と、直流電源の出力電圧を降圧して直流電圧値を出力するとともにこの直流電圧値よりも低い少なくとも１つの直流電圧値を切替えて出力する電圧降圧手段と、この電圧降圧手段の出力電圧を第１の制御手段の電源として出力する第１の制御電圧供給手段と、電圧降圧手段の出力電圧を降圧して第１の制御電圧より低い第２の制御電圧を第２の制御手段の電源として出力する第２の制御電圧供給手段とを具備する放電灯点灯装置にある。  
第１の制御手段は、例えば、アナログＩＣからなり、第１の制御電圧を電源として入力し点灯回路を制御する。第２の制御手段は、例えば、マイクロコンピュータからなり、第２の制御電圧を電源として入力し第１の制御手段を制御する。
【００１３】
請求項３対応の発明は、チョッパ用インダクタを設けた昇圧チョッパ回路を有する直流電源と、この直流電源に接続し、放電灯を点灯動作する点灯回路と、この点灯回路を制御する、第１の制御電圧で動作する第１の制御手段と、第１の制御手段を制御する、第１の制御電圧よりも低い電圧値で動作する第２の制御手段と、直流電源の出力電圧を降圧して直流電圧値を出力するとともにこの直流電圧値よりも低い少なくとも１つの直流電圧値を切替えて出力する電圧降圧手段と、この電圧降圧手段の出力電圧を第１の制御手段の電源として出力する第１の制御電圧供給手段と、電圧降圧手段の出力電圧を降圧して第１の制御電圧より低い第２の制御電圧を第２の制御手段の電源として出力する第２の制御電圧供給手段と、チョッパ用インダクタに発生する電磁エネルギーによって誘起される電圧を整流し第１の制御手段の電源として出力する第３の制御電圧供給手段とを具備する放電灯点灯装置にある。
【００１４】
請求項４対応の発明は、請求項３記載の放電灯点灯装置において、チョッパ用インダクタの不動作時には、第１の制御電圧供給手段を第１の制御手段の電源として使用し、チョッパ用インダクタの動作時には第３の制御電圧供給手段を第１の制御手段の電源として使用する。  
チョッパ用インダクタの不動作時には、第１の制御手段は第１の制御電圧供給手段から第１の制御電圧を電源として入力し点灯回路を制御する。また、チョッパ用インダクタの動作時には、第１の制御手段は第３の制御電圧供給手段から制御電圧を電源として入力し点灯回路を制御する。
【００１５】
請求項５対応の発明は、請求項２乃至４のいずれか１記載の放電灯点灯装置において、電圧降圧手段は、直流電源又は点灯回路の起動時、あるいは再起動時には第１の制御電圧を出力する。すなわち、直流電源又は点灯回路の起動時、あるいは再起動時に第１の制御電圧を出力することで、第１の制御手段及び第２の制御手段は直ちに動作を開始できるようになる。
【００１６】
請求項６対応の発明は、請求項２乃至５のいずれか１記載の放電灯点灯装置において、電圧降圧手段は、点灯回路の動作休止中あるいは停止中は第２の制御電圧を出力する。すなわち、点灯回路の動作休止中あるいは停止中により低い第２の制御電圧を出力することで、より無駄な消費電力の発生を抑制できる。
【００１７】
請求項７対応の発明は、照明器具本体と、この照明器具本体に付設された、請求項２乃至４のいずれか１記載の放電灯点灯装置と、照明器具本体に配設された放電灯とを具備する照明装置にある。
【発明の効果】
【００１８】
本発明によれば、電力損失を小さくできる制御用電源装置を提供できる。  
また、本発明によれば、電力損失を小さくできる放電灯点灯装置及び照明装置を提供できる。  
また、本発明によれば、電力損失を小さくできるとともに無駄な消費電力の発生を抑制できる放電灯点灯装置及び照明装置を提供できる。
【発明を実施するための最良の形態】
【００１９】
以下、本発明の実施の形態を、図面を参照して説明する。  
（第１の実施の形態）
この実施の形態は、本発明を制御用電源装置に適用したものについて述べる。
【００２０】
図１に示すように、直流電源１に、ＩＰＤ（インテリジェント・パワー・デバイス）２、インダクタ３、ダイオード４及び平滑コンデンサ５からなる非絶縁型の降圧レギュレータ６を接続している。すなわち、前記降圧レギュレータ６は、直流電源１に、ＩＰＤ２を、ダイオード４を逆極性に直列に介して接続し、前記ダイオード４にインダクタ３を直列に介して平滑コンデンサ５を並列に接続している。
【００２１】
前記平滑コンデンサ５に、フォトカプラ９の発光ダイオード９Ｄを直列に介して、第１の定電圧ダイオード１０にＭＯＳ型のＦＥＴ（電界効果トランジスタ）１１を介して第２の定電圧ダイオード１２を並列に接続した並列回路を接続している。前記フォトカプラ９のホトトランジスタ９Ｔは前記ＩＰＤ２の制御端子に接続している。  
前記降圧レギュレータ６、第１の定電圧ダイオード１０、ＦＥＴ１１及び第２の定電圧ダイオード１２は、電圧降圧手段を構成している。
【００２２】
前記平滑コンデンサ５に、第２の制御電圧供給手段である３端子レギュレータ７の入力端を並列に接続している。前記３端子レギュレータ７は、出力端に第２の制御手段としてマイクロコンピュータを有する集積回路（ＩＣ-2）８を接続している。前記集積回路（ＩＣ-2）８の電源電圧は、例えば、３．３Ｖであり、前記３端子レギュレータ７は、電圧降圧手段からの直流電圧を３．３Ｖに降圧して前記集積回路（ＩＣ-2）８に供給している。
【００２３】
前記第１の定電圧ダイオード１０は、例えば、ツェナー電圧が１５Ｖのものを使用し、前記第２の定電圧ダイオード１２は、例えば、ツェナー電圧が５Ｖのものを使用している。前記ＦＥＴ１１は前記集積回路（ＩＣ-2）８のマイクロコンピュータによって交互にオン、オフ動作されるようになっている。
【００２４】
前記ＦＥＴ１１がオフしているときには、平滑コンデンサ５に１５Ｖ以上の電圧が発生すると第１の定電圧ダイオード１０がオン動作してフォトカプラ９が動作する。そして、フォトカプラ９の動作によってＩＰＤ２は出力電圧が１５Ｖを保持するように動作する。また、前記ＦＥＴ１１がオンしているときには、平滑コンデンサ５に５Ｖ以上の電圧が発生すると第２の定電圧ダイオード１２がオン動作してフォトカプラ９が動作する。そして、フォトカプラ９の動作によってＩＰＤ２は出力電圧が５Ｖを保持するように動作する。
【００２５】
前記第１の平滑コンデンサ５に、整流用ダイオード１３を順極性に直列に介して平滑コンデンサ１４を並列に接続している。この整流用ダイオード１３及び平滑コンデンサ１４は第１の制御電圧供給手段を構成し、電圧降圧手段からの直流電圧を平滑コンデンサ１４で平滑して出力する。前記平滑コンデンサ１４に第１の制御手段としてアナログＩＣからなる集積回路（ＩＣ-1）１５を接続している。前記集積回路（ＩＣ-1）１５は、電源電圧が１２Ｖ以上あれば正常に動作するものである。
【００２６】
このような構成においては、ＩＰＤ２を含む降圧レギュレータ６は直流電源１からの直流電圧を１５Ｖに降圧する。電源の投入時には、平滑コンデンサ５には１５Ｖの電圧が発生し、ダイオード１３を介して平滑コンデンサ１４に充電される。そして、平滑コンデンサ１４から集積回路（ＩＣ-1）１５に略１５Ｖの直流電圧が第１の制御電圧として供給される。
【００２７】
また、平滑コンデンサ５に発生する直流電圧は、３端子レギュレータ７にも供給される。３端子レギュレータ７は入力される直流電圧を３．３Ｖに降圧して集積回路（ＩＣ-2）８に供給する。集積回路（ＩＣ-2）８は３．３Ｖの直流電圧の供給を受けて動作を開始する。
【００２８】
集積回路（ＩＣ-2）８は、ＦＥＴ１１を所定の周期でオン、オフ動作する。例えば、集積回路（ＩＣ-1）１５が動作するのに最低限必要な電圧が１２Ｖであったとすると、集積回路（ＩＣ-2）８は、平滑コンデンサ１４に発生する電圧が、１５Ｖから１２Ｖの間で繰り返し変化するように、ＦＥＴ１１のオフ時間とオン時間を制御する。
【００２９】
電圧降圧手段は、ＦＥＴ１１がオフすると、第１の定電圧ダイオード１０により平滑コンデンサ５に１５Ｖが発生するように動作し、ＦＥＴ１１がオンすると、第２の定電圧ダイオード１２により平滑コンデンサ５に５Ｖが発生するように動作する。このような動作によって、平滑コンデンサ５には、図２の(a)に示すように、１５Ｖと５Ｖに変化する電圧が発生する。
【００３０】
この平滑コンデンサ５に発生する直流電圧は、３端子レギュレータ７に供給されるとともに、ダイオード１３を介して平滑コンデンサ１４に供給される。３端子レギュレータ７は、入力される直流電圧を３．３Ｖに降圧する。こうして、３端子レギュレータ７から集積回路（ＩＣ-2）８には、図２の(b)に示すような３．３Ｖ一定の電圧が供給される。
【００３１】
このとき３端子レギュレータ７は、１５Ｖの電圧を３．３Ｖに降圧する動作と５Ｖの電圧を３.３Ｖに降圧する動作を繰り返すことになる。すなわち、３端子レギュレータ７は、１５Ｖ一定の電圧を３．３Ｖに降圧するのではなく、１５Ｖ電圧と５Ｖ電圧を交互に３.３Ｖに降圧することになる。これにより、５Ｖのときには１．７Ｖ降圧するのみの動作になり、無駄になる降圧電圧が極めて小さくなる。従って、１５Ｖ電圧を３．３Ｖに降圧する動作も含めた３端子レギュレータ７における平均的な降圧電圧は小さくなる。このように、３端子レギュレータ７は、降圧する電圧を小さくできるので、電力損失を小さくできる。
【００３２】
また、平滑コンデンサ１４に発生する電圧は、図２の(c)に示すように、ＦＥＴ１１がオフしている期間は略１５ＶとなるがＦＥＴ１１がオンしている期間は略１５Ｖから緩やかに減少し、略１２ＶになったときにＦＥＴ１１がオフして再び略１５Ｖになるという動作を繰り返す。この平滑コンデンサ１４に発生する電圧は集積回路（ＩＣ-1）１５に供給される。こうして、集積回路（ＩＣ-1）１５には常に１２Ｖ以上の電圧が供給されて正常に動作する。
【００３３】
（第２の実施の形態）
この実施の形態は、本発明を高圧放電灯点灯装置に適用したものについて述べる。  
図３に示すように、商用交流電源２１に、雑音防止用のフィルタ回路２２を介してダイオードブリッジからなる全波整流回路２３の入力端を接続している。  
前記全波整流回路２３の出力端に、コンデンサ２４を並列に接続するとともに、昇圧チョッパ回路２５を接続している。前記全波整流回路２３及び昇圧チョッパ回路２５は直流電源を構成している。
【００３４】
前記昇圧チョッパ回路２５は、全波整流回路２３の出力端に、チョッパ用のインダクタ２６を直列に介して、ＭＯＳ型の第１のＦＥＴ（電界効果トランジスタ）２７と電流検出回路２８との直列回路を並列に接続し、この直列回路にダイオード２９を順極性に直列に介して平滑コンデンサ３０を並列に接続している。
【００３５】
前記昇圧チョッパ回路２５は、制御部としてアナログＩＣからなる集積回路（ＩＣ-3）３１を設け、この集積回路（ＩＣ-3）３１に電流検出回路２８から電流検出信号を入力するとともに前記平滑コンデンサ３０から電源電圧を入力している。前記集積回路（ＩＣ-3）３１はこの電流検出信号に基づいて前記第１のＦＥＴ２７をオフするタイミングを制御している。
【００３６】
前記平滑コンデンサ３０に、電圧検出回路３２と電流検出回路３３との直列回路を並列に接続するとともに、前記電流検出回路３３を介してコンデンサ３４並びに点灯回路を構成するフルブリッジ形のインバータ回路３５を接続している。
【００３７】
前記インバータ回路３５は、第２、第３、第４、第５のＦＥＴ３６，３７，３８，３９、インダクタ４０及びトランス４１を備え、前記第２、第３のＦＥＴ３６，３７の直列回路と、前記第４、第５のＦＥＴ３８，３９の直列回路を並列に接続している。そして、前記第２、第３のＦＥＴ３６，３７の接続点を、前記インダクタ４０及びトランス４１の２次巻線４１ｓを直列に介して高圧放電灯４２の一端に接続し、前記第４、第５のＦＥＴ３８，３９の接続点を、前記高圧放電灯４２の他端に接続している。前記トランス４１の１次巻線４１ｐはイグナイタ回路からなる始動回路４３に接続している。前記高圧放電灯４２にコンデンサ４４を並列に接続している。
【００３８】
前記インバータ回路３５は、第１の制御手段としてアナログＩＣからなる集積回路（ＩＣ-1）４５を設け、この集積回路（ＩＣ-1）４５によって前記各ＦＥＴ３６，３７，３８，３９をスイッチング駆動するようにしている。すなわち、前記第４、第５のＦＥＴ３８，３９を低周波の周期で交互にオン、オフ動作し、第４のＦＥＴ３８がオンしている間に前記第２のＦＥＴ３７を高周波の周期でオン、オフ動作し、第５のＦＥＴ３９がオンしている間に前記第１のＦＥＴ３６を高周波の周期でオン、オフ動作するようになっている。
【００３９】
前記平滑コンデンサ３０に制御用電源装置５０を接続している。  
前記制御用電源装置５０は、平滑コンデンサ３０に、ＩＰＤ（インテリジェント・パワー・デバイス）５１、インダクタ５２、ダイオード５３及び平滑コンデンサ５４からなる非絶縁型の降圧レギュレータ５５を接続している。すなわち、前記降圧レギュレータ５５は、平滑コンデンサ３０に、ＩＰＤ５１を、ダイオード５３を逆極性に直列に介して接続し、前記ダイオード５３にインダクタ５２を直列に介して平滑コンデンサ５４を並列に接続している。
【００４０】
また、前記制御用電源装置５０は、平滑コンデンサ５４に、フォトカプラ５８の発光ダイオード５８Ｄを直列に介して、第１の定電圧ダイオード５９にＭＯＳ型の第６のＦＥＴ６０を介して第２の定電圧ダイオード６１を並列に接続した並列回路を接続している。前記フォトカプラ５８のホトトランジスタ５８Ｔは前記ＩＰＤ５１の制御端子に接続している。  
前記降圧レギュレータ５５、第１の定電圧ダイオード５９、第６のＦＥＴ６０及び第２の定電圧ダイオード６１は、電圧降圧手段を構成している。
【００４１】
前記平滑コンデンサ５４に、第２の制御電圧供給手段である３端子レギュレータ５６の入力端を並列に接続している。前記３端子レギュレータ５６は、出力端に第２の制御手段としてマイクロコンピュータを有する集積回路（ＩＣ-2）５７を接続している。前記集積回路（ＩＣ-2）５７の電源電圧は、例えば、３．３Ｖであり、前記３端子レギュレータ５６は、電圧降圧手段からの直流電圧を３．３Ｖに降圧して前記集積回路（ＩＣ-2）５７に供給している。
【００４２】
前記第１の定電圧ダイオード５９は、例えば、ツェナー電圧が１５Ｖのものを使用し、前記第２の定電圧ダイオード６１は、例えば、ツェナー電圧が５Ｖのものを使用している。前記第６のＦＥＴ６０は前記集積回路（ＩＣ-2）５７のマイクロコンピュータによって所定の周期でオン、オフ動作されるようになっている。
【００４３】
前記第６のＦＥＴ６０がオフしているときには、平滑コンデンサ５４に１５Ｖ以上の電圧が発生すると第１の定電圧ダイオード５９がオン動作してフォトカプラ５８が動作する。そして、フォトカプラ５８の動作によってＩＰＤ５１は出力電圧が１５Ｖを保持するように動作する。また、前記第６のＦＥＴ６０がオンしているときには、平滑コンデンサ５４に５Ｖ以上の電圧が発生すると第２の定電圧ダイオード６１がオン動作してフォトカプラ５８が動作する。そして、フォトカプラ５８の動作によってＩＰＤ５１は出力電圧が５Ｖを保持するように動作する。
【００４４】
また、前記制御用電源装置５０は、平滑コンデンサ５４に、整流用ダイオード６２を順極性に直列に介して平滑コンデンサ６３を並列に接続している。この整流用ダイオード６２及び平滑コンデンサ６３は第１の制御電圧供給手段を構成し、電圧降圧手段からの直流電圧を平滑コンデンサ６３で平滑して出力する。前記平滑コンデンサ６３に第１の制御手段である前記集積回路（ＩＣ-1）４５及び前記昇圧チョッパ回路２５の制御部である集積回路（ＩＣ-3）３１の電源端子を接続している。前記集積回路（ＩＣ-1）４５及び集積回路（ＩＣ-3）３１は、電源電圧が１２Ｖ以上あれば正常に動作するものである。
【００４５】
前記昇圧チョッパ回路２５は、前記インダクタ２６に補助巻線６４を添設し、この補助巻線６４の一端を前記全波整流回路２３の出力端の負極側に接続し、他端を前記集積回路（ＩＣ-3）３１に接続するとともに、整流用ダイオード６５を順極性に介して前記平滑コンデンサ６３の正極端に接続している。前記補助巻線６４はインダクタ２６に発生する電磁エネルギーによって電圧を誘起し、その電圧を、整流用ダイオード６５を介して平滑コンデンサ６３に印加する。
【００４６】
第２の制御手段である前記集積回路（ＩＣ-2）５７は、前記電圧検出回路３２からの電圧検出信号及び前記電流検出回路３３からの電流検出信号をデジタル変換して取込み、これらの信号からランプ電力を演算し、ランプ電力が一定になるように第１の制御手段である前記集積回路（ＩＣ-1）４５を制御する。前記集積回路（ＩＣ-1）４５は、集積回路（ＩＣ-2）５７に制御されてランプ電力が一定になるように、前記第１、第２のＦＥＴ３６，３７のオンデューティを制御する。
【００４７】
また、前記集積回路（ＩＣ-2）５７は、電源が投入された起動時においては、各部の起動に必要な一定時間、前記第６のＦＥＴ６０のオフ状態を維持して電圧降圧手段の平滑コンデンサ５４に１５Ｖの電圧を発生させ、それにより、平滑コンデンサ６３に略１５Ｖの電圧を発生させるようになっている。これにより、集積回路（ＩＣ-1）４５及び集積回路（ＩＣ-3）３１は確実に起動される。
【００４８】
そして、一定時間が経過すると、前記第６のＦＥＴ６０のオン、オフ制御を開始する。このとき、前記平滑コンデンサ６３の充電電圧を監視して、この充電電圧が１２Ｖ以下に低下しないように前記第６のＦＥＴ６０のオン、オフ周期とオンデューティを制御するようになっている。
【００４９】
このような構成においては、電源が投入されると、平滑コンデンサ３０への充電が開始されて制御用電源装置５０に平滑コンデンサ３０から電源が供給される。制御用電源装置５０ではＩＰＤ５１が動作して平滑コンデンサ５４に１５Ｖの電圧が発生し、平滑コンデンサ６３に略１５Ｖの電圧が発生する。
【００５０】
これにより、３端子レギュレータ５６が動作して集積回路（ＩＣ-2）５７に３．３Ｖの電源が供給されるとともに、平滑コンデンサ６３から集積回路（ＩＣ-1）４５及び集積回路（ＩＣ-3）３１に略１５Ｖの電源が供給される。こうして、起動時において各集積回路５７，３１，４５は充分な電源電圧の供給を受けてスムーズに動作を開始する。そして、集積回路（ＩＣ-2）５７は集積回路（ＩＣ-1）４５を制御するようになる。
【００５１】
集積回路（ＩＣ-3）３１が動作を開始すると、この集積回路（ＩＣ-3）３１によって第１のＦＥＴ２７がスイッチング動作され、昇圧チョッパ回路２５が動作を開始する。また、集積回路（ＩＣ-1）４５が動作を開始すると、インバータ回路３５が動作を開始する。
【００５２】
インバータ回路３５では、第４、第５のＦＥＴ３８，３９が低周波の遅い周期で交互にオン、オフ動作するとともに、第４のＦＥＴ３８のオン期間において第３のＦＥＴ３７が高周波の早い周期でオン、オフ動作し、第５のＦＥＴ３９のオン期間において第２のＦＥＴ３６が高周波の早い周期でオン、オフ動作する。また、始動回路４３が動作し、高圧放電灯４２に対して高圧パルスを間欠的に印加するようになる。
【００５３】
そして、起動に必要な一定時間が経過すると、集積回路（ＩＣ-2）５７は、第６のＦＥＴ６０のオン、オフ制御を開始する。電圧降圧手段は、第６のＦＥＴ６０がオフすると、第１の定電圧ダイオード５９により平滑コンデンサ５４に１５Ｖが発生するように動作し、第６のＦＥＴ６０がオンすると、第２の定電圧ダイオード１２により平滑コンデンサ５４に５Ｖが発生するように動作する。
【００５４】
この平滑コンデンサ５４に発生する直流電圧は、３端子レギュレータ５６に供給されるとともに、ダイオード６２を介して平滑コンデンサ６３に供給される。３端子レギュレータ５６は、入力される直流電圧を３．３Ｖに降圧する。こうして、３端子レギュレータ５６から集積回路（ＩＣ-2）５７には、３．３Ｖ一定の電圧が供給される。
【００５５】
このとき３端子レギュレータ５６は、１５Ｖの電圧を３．３Ｖに降圧する動作と５Ｖの電圧を３.３Ｖに降圧する動作を繰り返すことになる。すなわち、３端子レギュレータ５６は、１５Ｖ一定の電圧を３．３Ｖに降圧するのではなく、１５Ｖ電圧と５Ｖ電圧を交互に３.３Ｖに降圧することになる。これにより、５Ｖのときには１．７Ｖ降圧するのみの動作になり、無駄になる降圧電圧が極めて小さくなる。従って、１５Ｖ電圧を３．３Ｖに降圧する動作も含めた３端子レギュレータ５６における平均的な降圧電圧は小さくなる。このように、３端子レギュレータ５６は、降圧する電圧を小さくできるので、電力損失を小さくできる。
【００５６】
また、平滑コンデンサ６３に発生する電圧は、第６のＦＥＴ６０がオフしている期間は略１５Ｖとなるが第６のＦＥＴ６０がオンしている期間は略１５Ｖから緩やかに減少し、略１２ＶになったときにＦＥＴ６０がオフして再び略１５Ｖになるという動作を繰り返す。この平滑コンデンサ６３に発生する電圧は集積回路（ＩＣ-2）３１と集積回路（ＩＣ-3）４５に供給される。こうして、集積回路（ＩＣ-1）４５と集積回路（ＩＣ-3）３１には常に１２Ｖ以上の電圧が供給されて正常に動作する。
【００５７】
また、始動回路４３が高圧パルスを発生させている期間は、一定の負荷があるので、昇圧チョッパ回路２５では、第１のＦＥＴ２７のスイッチング動作によってインダクタ２６に大きな電磁エネルギーが発生し、これにより補助巻線６４に電圧が誘起する。これにより、整流用ダイオード６５を介して平滑コンデンサ６３への充電が行われる。これに対し、始動回路４３が高圧パルスの発生を停止している期間は、第１のＦＥＴ２７がスイッチング動作してもインダクタ２６に大きな電磁エネルギーが発生することはない。従って、補助巻線６４に電圧が誘起されない。このときには、平滑コンデンサ６３への充電電流は、補助巻線６４から整流用ダイオード６５を介して流れることは無く、電圧降圧手段から整流用ダイオード６２を介してのみ流れる。
【００５８】
このように、始動時においては、始動回路４３が高圧パルスを発生させている期間は、平滑コンデンサ６３には補助巻線６４と電圧降圧手段の両方から充電電流が流れ、始動回路４３が高圧パルスの発生を停止している期間は、平滑コンデンサ６３には電圧降圧手段からのみ充電電流が流れる。
【００５９】
こうして、平滑コンデンサ６３は、始動時において常に１２Ｖを超える充電電圧が維持され、集積回路（ＩＣ-1）４５及び集積回路（ＩＣ-3）３１は安定した動作を維持できる。そして、始動回路４３が高圧パルスの発生を停止し、インダクタ２６の動作が停止している期間において、平滑コンデンサ６３の充電電圧を確保するのに、ＩＰＤ５１を有する制御用電源装置５０を使用しているので、従来のように抵抗を使用して電流を流し続ける必要は無く、無駄な消費電力の発生を抑制できる。
【００６０】
そして、高圧放電灯４２が点灯を開始するようになると、始動回路４３の動作は停止するが、高圧放電灯４２に大きなランプ電流が流れるので、昇圧チョッパ回路２５では、第１のＦＥＴ２７のスイッチング動作によってインダクタ２６に大きな電磁エネルギーが発生する。これにより補助巻線６４に電圧が誘起され、整流用ダイオード６５を介して平滑コンデンサ６３に充電電流が流れる。こうして、高圧放電灯４２の点灯後においては補助巻線６４に誘起する電圧によって平滑コンデンサ６３は常に１５Ｖ以上の充電電圧で維持されることになる。なお、この間においても３端子レギュレータ５６は動作を継続し、入力される直流電圧を３．３Ｖに降圧して集積回路（ＩＣ-2）５７に供給し続ける。  
なお、この実施の形態は本発明を高圧放電灯点灯装置に適用したものについて述べたがこれに限定するものではなく、通常の放電灯点灯装置にも適用できるものである。
【００６１】
（第３の実施の形態）
この実施の形態は、本発明を高圧放電灯点灯装置に適用した他の実施の形態について述べる。なお、前述した第２の実施の形態と同一の部分には同一の符号を付し詳細な説明は省略する。
【００６２】
図４に示すように、インバータ回路３５に代えて、ペアレギュレータ回路３５１を接続している。すなわち、図３の平滑コンデンサ３０に代えて、２つの平滑コンデンサ７１，７２の直列回路を接続し、この平滑コンデンサ７１，７２の直列回路に点灯回路を構成する前記ペアレギュレータ回路３５１を接続している。
【００６３】
前記ペアレギュレータ回路３５１は、前記平滑コンデンサ７１，７２の直列回路に第２、第３のＦＥＴ３６，３７の直列回路を並列に接続し、高圧放電灯４２の一端を、ランプ電流を検出するランプ電流検出回路７３を介して前記平滑コンデンサ７１と７２の接続点に接続し、前記高圧放電灯４２の他端を、トランス４１の２次巻線４１ｓ及びインダクタ４０を直列に介して前記第２、第３のＦＥＴ３６，３７の接続点に接続している。前記第２、第３のＦＥＴ３６，３７のドレイン、ソース間にそれぞれダイオード７４，７５を逆極性にして並列に接続している。
【００６４】
前記ランプ電流検出回路７３、高圧放電灯４２及びトランス４１の２次巻線４１ｓの直列回路に、ランプ電圧を検出するランプ電圧検出回路７６及びコンデンサ７７をそれぞれ並列に接続している。そして、前記第２、第３のＦＥＴ３６，３７を第１の制御手段としてアナログＩＣからなる集積回路（ＩＣ-1）４５１によって高周波の周期でオン、オフ動作するようになっている。
【００６５】
第２の制御手段である集積回路（ＩＣ-2）５７は、ランプ電圧検出回路７６からランプ電圧検出信号を取り込むとともにランプ電流検出回路７３からランプ電流検出信号をデジタル変換して取り込み、ランプ電力を演算する。そして、ランプ電力が一定になるように、第２、第３のＦＥＴ３６，３７のオンデューティを制御する。第１の制御手段である集積回路（ＩＣ-1）４５１は、集積回路（ＩＣ-2）５７からの制御信号に基づいて第２、第３のＦＥＴ３６，３７をオン、オフ駆動する。  
なお、その他の構成は前述した第２の実施の形態と同様である。
【００６６】
このような構成においては、電源が投入された起動時あるいは再起動時において、第２の制御手段である集積回路（ＩＣ-2）５７は、各部の起動に必要な所定時間、第６のＦＥＴ６０をオフ状態に維持する。そして、ＩＰＤ５１の動作により降圧レギュレータ５５の平滑コンデンサ５４に１５Ｖの電圧が発生する。これにより、平滑コンデンサ６３には図５の(c)に示すように略１５Ｖの電圧が発生する。この平滑コンデンサ６３の電圧は集積回路（ＩＣ-1）４５１と集積回路（ＩＣ-3）３１の電源電圧になる。
【００６７】
こうして、集積回路（ＩＣ-1）４５１と集積回路（ＩＣ-3）３１は確実に起動される。また、平滑コンデンサ５４に発生する直流電圧は、３端子レギュレータ５６にも供給される。３端子レギュレータ５６は入力される直流電圧を３．３Ｖに降圧して集積回路（ＩＣ-2）５７に供給する。集積回路（ＩＣ-2）５７は３．３Ｖの直流電圧の供給を受けて動作を開始する。
【００６８】
集積回路（ＩＣ-1）４５１及び集積回路（ＩＣ-3）３１が起動すると、昇圧チョッパ回路２５が動作を開始し、また、ペアレギュレータ回路３５１も動作を開始するようになる。昇圧チョッパ回路２５では集積回路（ＩＣ-3）３１は、図５の(a)に示すように高い周波数の制御信号によって第１のＦＥＴ２７をオン、オフ駆動するようになる。
【００６９】
昇圧チョッパ回路２５が動作を開始すると、第１のＦＥＴ２７がスイッチング駆動される。また、ペアレギュレータ回路３５１が動作を開始すると、第２のＦＥＴ３６による一定時間の高周波なオン、オフ動作と、第３のＦＥＴ３７による一定時間の高周波なオン、オフ動作が交互に繰り返される。  
ペアレギュレータ回路３５１では始動回路４３が動作し、高圧放電灯４２に対して高圧パルスが間欠的に印加されるようになる。
【００７０】
また、始動回路４３が高圧パルスを発生させている期間は、一定の負荷があるので、昇圧チョッパ回路２５では、第１のＦＥＴ２７のスイッチング動作によってインダクタ２６に大きな電磁エネルギーが発生し、これにより補助巻線６４に電圧が誘起する。これにより、整流用ダイオード６５を介して平滑コンデンサ６３への充電が行われる。これに対し、始動回路４３が高圧パルスの発生を停止している期間は、第１のＦＥＴ２７がスイッチング動作してもインダクタ２６に大きな電磁エネルギーが発生することはない。従って、補助巻線６４に電圧が誘起されない。このときには、平滑コンデンサ６３への充電電流は、補助巻線６４から整流用ダイオード６５を介して流れることは無く、電圧降圧手段から整流用ダイオード６２を介してのみ流れる。
【００７１】
高圧放電灯４２が点灯した場合は、補助巻線６４から平滑コンデンサ６３へ図５の(c)に示すように電源電圧が１５Ｖで維持される。  
一方、集積回路（ＩＣ-2）５７は、所定の時間が経過すると、第６のＦＥＴ６０をオンにする。これにより、降圧レギュレータ５５の平滑コンデンサ５４の充電電圧が、図５の(b)に示すように１５Ｖから５Ｖに低下する。  
そして、高圧放電灯４２が点灯できない場合の始動回路４３の間欠動作の休止中においては、第２の制御手段である集積回路（ＩＣ-2）５７のみが動作を継続すればよく、従って、昇圧チョッパ回路２５の集積回路（ＩＣ-3）３１は、図６の(a)に示すように、始動回路４３の間欠動作の休止中は動作を停止する。すなわち、第１のＦＥＴ２７はオン、オフ駆動されない。
【００７２】
また、制御用電源装置５０においては、図６の(b)に示すように平滑コンデンサ５４に略５Ｖの電圧が発生するように、集積回路（ＩＣ-2）５７により第６のＦＥＴ６０がオン状態に維持される。従って、始動回路４３の間欠動作の休止中において、平滑コンデンサ６３に発生する電圧は、図６の(c)に示すように略５Ｖに維持される。こうして、３端子レギュレータ５６による降圧電圧が小さくなるので、電力損失を小さくできる。
【００７３】
始動回路４３が休止期間を終えて再び動作するときには、起動時や再起動時と同様、集積回路（ＩＣ-2）５７が第６のＦＥＴ６０をオフ状態にし、平滑コンデンサ６３に略１５Ｖの電圧を発生させて、集積回路（ＩＣ-1）４５１及び集積回路（ＩＣ-3）３１を起動させる。そして、始動回路４３を一定時間動作させる。
【００７４】
このような動作により、高圧放電灯４２の温度が十分に低い状態にあるときには、起動時あるいは再起動時に始動回路４３による高圧パルスの発生動作が行われると、高圧放電灯４２はスムーズに点灯するようになる。また、高圧放電灯４２の温度が高い状態にあるときには、起動時あるいは再起動時に始動回路４３による高圧パルスの発生動作が行われても高圧放電灯４２は点灯されないので、始動回路４３による高圧パルスの発生動作が間欠的に繰り返されるようになる。そして、高圧放電灯４２の温度が低下すると高圧放電灯４２は始動回路４３からの高圧パルスを受けて点灯するようになる。
【００７５】
このように、起動時や再起動時には、集積回路（ＩＣ-2）５７は第６のＦＥＴ６０をオフ状態に維持して降圧レギュレータ５５の平滑コンデンサ５４に１５Ｖの電圧を発生させ、平滑コンデンサ６３に略１５Ｖの電圧を発生させる。これにより、集積回路（ＩＣ-1）４５１と集積回路（ＩＣ-3）３１を確実に起動させることができる。すなわち、昇圧チョッパ回路２５及びペアレギュレータ回路３５１の動作を直ちに開始させることができる。
【００７６】
また、高圧放電灯４２が高温状態で直ぐに点灯させることができないときには、始動回路４３を間欠動作させて高圧放電灯４２が冷えるのを待ち、高圧放電灯４２が始動できる温度に低下すると、自動的に点灯させることができる。そして、始動回路４３を間欠動作させるので、高圧パルスを連続して発生させる場合に比べて高圧放電灯に与える高圧の影響を低減できる。また、始動回路４３の間欠動作における休止期間は集積回路（ＩＣ-1）４５１と集積回路（ＩＣ-3）３１の動作を停止するので、無駄に消費電力が発生するのを抑制できる。
【００７７】
なお、この装置においても、平滑コンデンサ５４に発生する直流電圧は、３端子レギュレータ５６に供給されるとともに、ダイオード６２を介して平滑コンデンサ６３に供給され、３端子レギュレータ５６は、入力される直流電圧を３．３Ｖに降圧する。そして、３端子レギュレータ５６は、１５Ｖの電圧を３．３Ｖに降圧する動作と５Ｖの電圧を３.３Ｖに降圧する動作を繰り返すことになる。これにより、５Ｖのときには１．７Ｖ降圧するのみの動作になり、無駄になる降圧電圧が極めて小さくなる。従って、前述した実施の形態と同様に３端子レギュレータ５６における降圧電圧を小さくでき、電力損失を小さくできる。
【００７８】
（第４の実施の形態）
この実施の形態は、本発明を高圧放電灯点灯装置に適用した他の実施の形態について述べる。なお、前述した各実施の形態と同一の部分には同一の符号を付し詳細な説明は省略する。
【００７９】
図７に示すように、図３のフルブリッジ形のインバータ回路３５に代えて、ハーフブリッジ形のインバータ回路３５２を接続している。このハーフブリッジ形のインバータ回路３５２は、平滑コンデンサ３０に、第２、第３のＦＥＴ３６，３７の直列回路を並列に接続し、高圧放電灯４２の一端を、ランプ電流検出回路７３を介して前記第３のＦＥＴ３７のソース端子に接続し、前記高圧放電灯４２の他端を、インダクタ４０及びコンデンサ７８を直列に介して前記第２、第３のＦＥＴ３６，３７の接続点に接続している。
【００８０】
前記高圧放電灯４２及びランプ電流検出回路７３の直列回路に、ランプ電圧検出回路７６及びコンデンサ７９をそれぞれ並列に接続している。前記第３のＦＥＴ３７に、コンデンサ８０及び抵抗８１を直列に介してダイオード８２を逆極性にして並列に接続している。そして、前記抵抗８１とダイオード８２のカソードとの接続点にダイオード８３のアノードを接続している。前記ダイオード８３は、カソードを定電圧ダイオード８４のカソードに接続すると共にコンデンサ８５の一端に接続している。前記定電圧ダイオード８４のアノード及びコンデンサ８５は、その他端を前記ダイオード８２のアノードに接続している。
【００８１】
前記ダイオード８３及び定電圧ダイオード８４のアノードとコンデンサ８５の一端との接続点は、ダイオード８６を順極性に介して平滑コンデンサ６３の正極端子に接続している。
【００８２】
前記第２、第３のＦＥＴ３６，３７を第１の制御手段としてアナログＩＣからなる集積回路（ＩＣ-1）４５１によって高周波の周期でオン、オフ動作するようになっている。第２の制御手段である集積回路（ＩＣ-2）５７は、ランプ電圧検出回路７６からランプ電圧検出信号を取り込むとともにランプ電流検出回路７３からランプ電流検出信号をデジタル変換して取り込み、ランプ電力を演算する。そして、ランプ電力が一定になるように、第２、第３のＦＥＴ３６，３７の周波数あるいはオンデューティ、または、昇圧チョッパ回路２５の出力電圧を制御する。  
なお、その他の構成は前述した第３の実施の形態と同様である。
【００８３】
このような構成のインバータ回路３５２は、起動時や再起動時には、インダクタ４０とコンデンサ７９との共振回路によって高電圧が発生し高圧放電灯４２に印加する。従って、始動回路を不要にできる。
【００８４】
起動時あるいは再起動時には、第３の実施の形態と同様に、第２の制御手段である集積回路（ＩＣ-2）５７は、各部の起動に必要な所定時間、第６のＦＥＴ６０をオフ状態に維持する。これにより、降圧レギュレータ５５の平滑コンデンサ５４に１５Ｖの電圧が発生し、平滑コンデンサ６３に略１５Ｖの電圧が発生する。この平滑コンデンサ６３の電圧は集積回路（ＩＣ-1）４５１と集積回路（ＩＣ-3）３１の電源電圧になる。
【００８５】
こうして、集積回路（ＩＣ-1）４５１と集積回路（ＩＣ-3）３１は確実に起動される。集積回路（ＩＣ-1）４５１及び集積回路（ＩＣ-3）３１が起動すると、昇圧チョッパ回路２５が動作を開始し、また、インバータ回路３５２も動作を開始するようになる。
【００８６】
インバータ回路３５２が動作すると、ダイオード８３のカソード側に所定電圧が発生し、この電圧がダイオード８６を介して平滑コンデンサ６３に印加される。こうして、インバータ回路３５２の動作時には平滑コンデンサ６３はダイオード８６を介して充電され、１２Ｖ以上、例えば、略１５Ｖの電圧が維持される。
【００８７】
なお、この装置においても、平滑コンデンサ５４に発生する直流電圧は、３端子レギュレータ５６に供給されるとともに、ダイオード６２を介して平滑コンデンサ６３に供給され、３端子レギュレータ５６は、入力される直流電圧を３．３Ｖに降圧する。そして、３端子レギュレータ５６は、５Ｖの電圧を３.３Ｖに降圧する動作を多くの時間に行うことにより、無駄になる降圧電圧が極めて小さくなる。従って、前述した実施の形態と同様に３端子レギュレータ５６における降圧電圧を小さくでき、電力損失を小さくできる。
【００８８】
（第５の実施の形態）
この実施の形態は、前述した第２乃至第４の実施の形態に記載した高圧放電灯点灯装置のいずれかを使用した照明装置ついて述べる。  
図８に示すように、高圧放電灯点灯装置１００を、照明器具本体１０１とは別にして設置している。前記照明器具本体１０１は凹形状の反射笠１０２を設け、この反射笠１０２の内側中央にソケット（図示せず）を設けている。そして、このソケットに高圧放電灯４２の口金を螺着し、高圧放電灯を装填している。放電灯点灯装置１００は前述した第２の実施の形態に記載した高圧放電灯点灯装置と同一の構成になっている。
【００８９】
このような構成の照明装置に使用する高圧放電灯点灯装置１００は、第２乃至第４の実施の形態に記載した高圧放電灯点灯装置のいずれかと同じ構成になっているので、制御用電源装置から直流電源を入力し、その直流電圧を３．３Ｖの電圧に降圧する３端子レギュレータは、降圧しなければならない電圧を減らすことができて電力損失を小さくできる。
【００９０】
また、始動回路が高圧パルスの発生を停止している期間において制御用電源電圧を確保するのに従来のように抵抗を使用して電流を流し続ける必要は無く、無駄な消費電力の発生を抑制できる。  
従って、照明装置としても、電力損失を小さくでき、無駄な消費電力の発生を抑制できることになる。
【図面の簡単な説明】
【００９１】
【図１】本発明の第１の実施の形態に係る、制御用電源装置の回路構成を示す図。
【図２】同実施の形態における各部の電圧波形を示す図。
【図３】本発明の第２の実施の形態に係る、高圧放電灯点灯装置の回路構成を示す図。
【図４】本発明の第３の実施の形態に係る、高圧放電灯点灯装置の回路構成を示す図。
【図５】同実施の形態において高圧放電灯をスムーズに点灯できたときの起動時あるいは再起動時の各部の動作を示す信号及び電圧波形図。
【図６】同実施の形態において高圧放電灯をスムーズに点灯できなかったときの起動時あるいは再起動時の各部の動作を示す信号及び電圧波形図。
【図７】本発明の第４の実施の形態に係る、高圧放電灯点灯装置の回路構成を示す図。
【図８】本発明の第５の実施の形態に係る、照明装置の外観を示す斜視図。
【符号の説明】
【００９２】
６，５５…降圧レギュレータ、７，５６…３端子レギュレータ（第２の制御電圧供給手段）、８，５７…集積回路（ＩＣ-2）（第２の制御手段）、１０，１２，５９，６１…定電圧ダイオード、１１，６０…ＦＥＴ、１３，６２…整流用ダイオード、１４，６３…第２の平滑コンデンサ、１５，４５，４５１…集積回路（ＩＣ-1）（第１の制御手段）、２５…昇圧チョッパ回路（直流電源）、３５…インバータ回路（点灯回路）、５０…制御用電源装置。
【図１】
2007274877.tif 000003
【図２】
2007274877.tif 000004
【図３】
2007274877.tif 000005
【図４】
2007274877.tif 000006
【図５】
2007274877.tif 000007
【図６】
2007274877.tif 000008
【図７】
2007274877.tif 000009
【図８】
2007274877.tif 000010